(57)【特許請求の範囲】
【請求項１】
便器上に設置され、装置本体に回動自在に取付けられた便座と、
便鉢の外側に装置本体の底面部に設けられた臭気排出口と、
臭気排出口に通ずる装置本体内の通風経路中に設けられたファンと、
臭気排出口から通風経路中に装着される、脱臭剤を封入した脱臭カートリッジと、
前記ファンの制御装置および操作手段を装置本体内に備えた脱臭付き便座装置において、
前記脱臭カートリッジの臭気入口部の上流側に、前記ファンが排気吹きだし口を前方側に向けて装置本体に対して垂直に取り付けられ、
このファンの排気吹きだし口と前記脱臭カートリッジの臭気入口とが略平行に配置されることによって、
前記脱臭カートリッジとファンとが前記操作手段の下に組み込まれ、
前記脱臭カートリッジが、装置本体の前方斜め下からの装着、かつ装置本体に対し傾斜した状態で保持されることを特徴とする脱臭付き便座装置。
【請求項２】
脱臭カートリッジの傾斜角度が、水平に対して３０°〜６０°であることを特徴とする請求項１に記載の脱臭付き便座装置。
【請求項３】
脱臭カートリッジが装着される部分の通風経路を構成する装着壁面の内、装置本体前側に位置する装着壁面を、装置本体前側に向かって下向きに傾斜させると共に、
この装着壁面に脱臭カートリッジ下端部を係止する係止突起を、少なくとも１箇所以上設け、
対向する装着壁面には、脱臭カートリッジの装着を妨げぬ寸法で、脱臭カートリッジ装着後に脱臭カートリッジの側面が当接する当接突起を、少なくとも１箇所以上設け、
この当接突起の形状が、装置本体前側に向かって下向きに傾斜した装置本体前方装着壁面と平行な面を持つリブとしたことを特徴とする請求項１または２に記載の脱臭付き便座装置。
【請求項４】
係止突起，当接突起が、装着壁面と一体に形成されていることを特徴とする請求項１から３の何れかに記載の脱臭付き便座装置。
【発明の詳細な説明】
【０００１】
【発明の属する技術分野】
本発明は、脱臭付き便座装置の脱臭カートリッジ装着部構造に関する。
【０００２】
【従来の技術】
従来の脱臭付便座装置は、図３，図４に示すように、装置本体１に便座２が回動自在に取付けられ、便器３上に設置されている。装置本体１は、合成樹脂で成形された本体ケース４とシャーシ５から構成され、内部に脱臭機能等の制御装置６等が搭載され、本体ケース４表面には、前記脱臭機能等の操作手段７が設けられている。
【０００３】
さらに、装置本体１を便器３に設置した状態で、装置本体１は便鉢３ａに臨む位置に臭気吸引口８を、便器３の外側に臭気排出口９を有し、装置本体１内部に臭気吸引口８と臭気排出口９を連通する通風経路１０が、専用ダクト、または前記本体ケース４や、シャーシ５からのリブ等により形成され、この経路中に臭気吸引用のファン１１が設置される。
【０００４】
脱臭カートリッジ１２は臭気排出口９、またはこの近傍から通風経路１０内に装着され、制御装置６によりファン１１を駆動すると、臭気が便鉢３ａから吸引され、脱臭カートリッジ１２に送られ、臭気を消臭した後、臭気排出口９から装置本体１外部に排出される。
【０００５】
【発明が解決しようとする課題】
脱臭カートリッジ１２には、活性炭や酸化触媒等の脱臭剤が収納されており、脱臭剤の寿命が尽きると脱臭カートリッジ１２の交換作業が必要となる。このため、本体ケース４の前部あるいは側部に脱臭カートリッジ１２取付け専用のカバーを設け、このカバーを開けることにより、脱臭カートリッジ１２の取り外しが可能なものが考案されたが、カバーは装置本体１の前部あるいは側部に設けられているため、外観を損なうだけでなく、汚物や装置本体を掃除する際の水がカバー取付け部から装置本体１内部に浸入し、ファン１１や制御装置６にかかり機器の破損を発生させる恐れがあった。このため、図４のように、装置本体１の底部から、垂直方向に脱臭カートリッジ１２を装着し、脱臭カートリッジ１２に設けた弾性嵌合片１７により装置本体１に装着可能にした構造が考案されている。
【０００６】
ここで、効率良い脱臭を実現するために、ファン１１の排気吹き出し口と脱臭カートリッジ１２の臭気入口とは、略平行になるように構成し、通風抵抗を小さくすることが重要である。
【０００７】
しかし、ファン１１の排気吹き出し口を脱臭カートリッジ１２の臭気入口に略平行になるよう装置本体１に組み込んだ場合、図４のように、装置本体１内の寸法制約から、脱臭カートリッジ１２装着場所が装置本体１の後側となりやすく、トイレ内においては脱臭カートリッジ１２の交換作業が極めて困難となったり、また、通風経路が複雑になるといった課題や、更には通風抵抗が大きくなり、ファン１１能力が不足し、ファン１１の大型化が発生するといった課題が生じる。これを避けるため、装置本体１の底面より下側に脱臭カートリッジ１２の装着部を設けると、装置本体が大型化し、昨今の小型，コンパクト，廉価といったニーズに合致できない。
【０００８】
本発明は、前述したような課題に鑑み、装置の，コンパクト性を損なわず脱臭カートリッジを装着可能でかつ交換作業が容易な構造を提供することを目的とする。
【０００９】
【課題を解決するための手段】
上記の課題を解決するため、本発明は、以下の構成を有するものである。
（１）  便器上に設置され、装置本体に回動自在に取付けられた便座と、便鉢の外側に装置本体の底面部に設けられた臭気排出口と、臭気排出口に通ずる装置本体内の通風経路中に設けられたファンと、臭気排出口から通風経路中に装着される、脱臭剤を封入した脱臭カートリッジと、前記ファンの制御装置および操作手段を装置本体内に備えた脱臭付き便座装置において、前記脱臭カートリッジの臭気入口部の上流側に、前記ファンが排気吹きだし口を前方側に向けて装置本体に対して垂直に取り付けられ、このファンの排気吹きだし口と前記脱臭カートリッジの臭気入口とが略平行に配置されることによって、前記脱臭カートリッジとファンとが前記操作手段の下に組み込まれ、前記脱臭カートリッジが、装置本体の前方斜め下からの装着、かつ装置本体に対し傾斜した状態で保持されることを特徴とする脱臭付き便座装置。
（２）  脱臭カートリッジの傾斜角度が、水平に対して３０°〜６０°であることを特徴とする請求項１に記載の脱臭付き便座装置。
（３）  脱臭カートリッジが装着される部分の通風経路を構成する装着壁面の内、装置本体前側に位置する装着壁面を、装置本体前側に向かって下向きに傾斜させると共に、この装着壁面に脱臭カートリッジ下端部を係止する係止突起を、少なくとも１箇所以上設け、対向する装着壁面には、脱臭カートリッジの装着を妨げぬ寸法で、脱臭カートリッジ装着後に脱臭カートリッジの側面が当接する当接突起を、少なくとも１箇所以上設け、この当接突起の形状が、装置本体前側に向かって下向きに傾斜した装置本体前方装着壁面と平行な面を持つリブとしたことを特徴とする請求項１または２に記載の脱臭付き便座装置。
（４）  係止突起，当接突起が、装着壁面と一体に形成されていることを特徴とする請求項１から３の何れかに記載の脱臭付き便座装置。
【００１０】
【発明の実施の形態】
本発明では、脱臭カートリッジ１２を前方斜め下から装着し、装置本体１に対して傾斜した状態で保持する構造としたことにより、作業者は、装置本体１前側から、容易に脱臭カートリッジ１２を装着，取り外すことができる。
【００１１】
脱臭カートリッジ１２を、前方斜め下から装着し、装置本体１に対して、傾斜した状態で保持させるため、脱臭カートリッジ１２が装着される部分の装着壁面１４の内、装置本体１前側に位置する装置本体前方装着壁面１４ａを装置本体前側に向かって下向きに傾斜させると共に、装置本体前方装着壁面１４ａに脱臭カートリッジ１２の下端部の係止は係止突起１５を設け、対向する装着壁面１４には、脱臭カートリッジ１２の装着を妨げぬ寸法で、装着後、脱臭カートリッジ１２の装着側面が当接する当接突起１６を設け、脱臭カートリッジ１２は、装置本体１前側に向かって下向きに装置本体前方装着壁面１４ａと係止突起１５及び当接突起１６により、装着作業の際は、装置本体１前方、斜め下から脱臭カートリッジ１２を装着でき、係止突起１５と当接突起１６により脱臭カートリッジ１２は落下することなく装置本体１に装着，保持される。係止突起１５及び当接突起１６は、通風経路１０の断面内で、連続的に繋がっていなくてもよく、成形型により形成する場合は、成形品の金型構造上、リブとすることが製品コストを低下でき望ましい。
【００１２】
また、脱臭カートリッジ１２の臭気入口部の上流側にファン１１を装置本体１に対して、垂直に取付けても、ファン１１の排気吹きだし口と脱臭カートリッジ１２の臭気入口とは略平行に配置でき、通風抵抗が大きくなることもない。さらに、ファン１１ノ上端部と脱臭カートリッジ１２の下端部までの鉛直方向距離も小さくなり、装置本体１に組み込んでも、大きなスペースを要しない。したがって、操作手段７の下などの限られたスペースにも脱臭カートリッジ１２とファン１１を組み込むことが可能となり、脱臭付き便座装置の装置本体１のコンパクト化が図れる。脱臭カートリッジ１２の傾斜角度については、コンパクト化を考えると、水平に近くなるものが良いが、係止突起１５を中心に回転落下することが考えられるため、３０°〜６０°程度の傾斜角度が良い。傾斜突起１５の寸法については、形状は問わず、脱臭カートリッジ１２の装着を妨げない寸法で、かつ脱臭カートリッジ１２が装着後、容易に落下しない形状であれば、脱臭カートリッジ１２の装着の際、圧入となっていてもよく、脱臭カートリッジ１２と弾性嵌合する構造を用いても構わない。当接突起１６についても、脱臭カートリッジ１２の装着を妨げない寸法で、かつ脱臭カートリッジ１２が装着後、容易に落下しないようであれば、どんな形状でもよく、装置本体１前側に向かって下向きに傾斜した装置本体前方装着壁面１４ａと平行な面を持つリブとした場合は、脱臭カートリッジ１２の装着時に、この当接突起１６と装置本体１前側に向かって下向きに傾斜した装置本体前方装着壁面１４ａとで、脱臭カートリッジ１２の装着方向が限定されるため、脱臭カートリッジ１２の装着，取り外し作業が容易である。
【００１３】
ここで、脱臭カートリッジに封入される脱臭剤の種類は、活性炭系，酸化マンガン等の触媒系のどちらでも、あるいはそれらの組合せでもよい。また、脱臭剤の強度が、脱臭カートリッジ装着部への直接装着に問題を生じなければ、筒等で覆う必要はない。
【００１４】
【実施例】
以下、本発明の実施例を図面を用いて説明する。
【００１５】
図１は、本発明の脱臭カートリッジ１２装着部の実施例を示したものである。本実施例では、臭気排出口９は、操作手段７の下に設けられ、高さは、便器３上面と同じ高さである
。さらに、装置本体前方装着壁面１４ａを約３０°の角度で傾斜させており、対向する装着壁面１４の当接突起１６は、シャーシ５と一体に形成されたものであり、脱臭カートリッジ１２の上端部に接する位置に設けている。また、係止突起１５は、シャーシ５と一体に形成されたものであり、脱臭カートリッジ１２の端部が引っ掛かる寸法，構造としている。臭気吸引用のファン１１は、脱臭カートリッジ１２の上流に、装置本体１に対して、垂直となるように設置され、装置本体１の前方に臭気を排気吹き出し口から放出する構造としている。
【００１６】
図２は、他の実施例を示したものであり、脱臭カートリッジ１２の過挿入防止のため、通風経路１０の上部に壁面及び過挿入防止ガイド１８としてリブを設けている。また、当接突起１６は、装置本体前方に位置する装着壁面と同角度で傾斜した面を有する形状としたものである。さらに、脱臭カートリッジ１２の下端部には、弾性嵌合片１７を設け、これに相対するよう係止突起１５が設けられている。したがって、脱臭カートリッジ１２は、脱臭機能付き便座装置の使用者が不用意に、脱臭カートリッジ１２に触れても、落下することなない。
【００１７】
【発明の効果】
以上、本発明の脱臭カートリッジ装着構造によれば、従来例のように、本体ケースの水平方向前部，側部にカバー等を設けていないため、汚水等が装置本体内に浸入し、ファンや制御装置等にかかり機器破損ことはなく、更に脱臭カートリッジは装置本体前方から斜め方向でシャーシ底面の臭気排出口に装着，保持，取り外しが可能であるため、トイレ内での脱臭カートリッジの交換作業が極めて容易である。
【００１８】
さらに、脱臭カートリッジを斜めに保持する構造としたことにより、通風経路の抵抗を大きくすることなく、ファン脱臭カートリッジとの距離を近接させることができるため、ファン１１と脱臭カートリッジ１２のスペースを小さくすることができ、装置本体１の小型化が図れる。
【００１９】
係止突起１５及び当接突起を装着壁面１４と一体とすることにより、成形金型を安価なものとすることができる。
【図面の簡単な説明】
【図１】本発明の脱臭カートリッジ装着構造の実施例の断面図。
【図２】本発明の脱臭カートリッジ装着構造，他の実施例の断面図。
【図３】従来例を示す上部から見た断面図。
【図４】従来例の脱臭カートリッジ装着構造の断面図。
【符号の説明】
１…装置本体、２…便座、３…便器、３ａ…便鉢、４…本体ケース、５…シャーシ、６…制御装置、７…操作手段、８…臭気吸引口、９…臭気排出口、１０…通風経路、１１…ファン、１２…脱臭カートリッジ、１４…装着壁面、１４ａ…装置本体前方装着壁面、１５…係止突起、１６…当接突起、１７…弾性嵌合片、１８…過挿入防止ガイド。
【図１】
0004055025.tif 000002
【図２】
0004055025.tif 000003
【図３】
0004055025.tif 000004
【図４】
0004055025.tif 000005